(57)【要約】【課題】傾斜角度を簡易に調整可能とすると共に、携帯端末内蔵のスピーカーから発せられる音波を反射可能な携帯端末用スタンドを提供する。【解決手段】その曲面に軸心４００に対して所要の角度で斜めに形成された長溝部２１０を有する半円筒形状のスタンド本体２００と、スタンド本体２００の長溝部２１０に対して挿通される略楕円形状断面を有する軸部３１０がその厚み部分となる長辺面から突出する態様で位置する略直方体の平板状の脚部３００と、を備え、前記略楕円形状断面の長軸は、前記長辺面の延在方向に対して前記角度に対応する角度とされており、長溝部２１０の両内壁は、軸部３１０が挿通された際に軸部３１０の延在方向が軸心４００を向く態様で形成されている。【選択図】  図１
2019009687.tif 000002
【特許請求の範囲】
【請求項１】
その曲面に軸心に対して所要の角度で斜めに形成された長溝部を有する半円筒形状のスタンド本体と、
前記スタンド本体の長溝部に対して挿通される略楕円形状断面を有する軸部がその厚み部分となる長辺面から突出する態様で位置する略直方体の平板状の脚部と、を備え、
前記略楕円形状断面の長軸は、前記長辺面の延在方向に対して前記角度に対応する角度とされており、
前記長溝部の両内壁は、前記軸部が挿通された際に当該軸部の延在方向が前記軸心を向く態様で形成されている、携帯端末用スタンド。
【請求項２】
前記軸部は、前記長溝内で前記長軸の両端が前記両内壁にそれぞれ当接されることで、前記スタンド本体と前記脚部とがロック状態となる、請求項１記載の携帯端末用スタンド。
【請求項３】
前記脚部は、前記軸部が位置する長辺面とは反対側の長辺面を、その長手方向に沿って見て曲面形状で形成されている、請求項１記載の携帯端末用スタンド。
【発明の詳細な説明】
【技術分野】
【０００１】
本発明は、携帯端末用スタンドに関し、特に、傾斜角度を簡易に調整可能で、携帯端末内蔵のスピーカーから発せられる音波を反射可能な携帯端末用スタンドに関する。
【背景技術】
【０００２】
傾斜角度を調整可能な携帯端末用スタンドとしては、様々なものが提案されている。特許文献１には、ベース部と複数の支脚部を有し、支脚部の一を選択することで傾斜角度を調整可能な電子機器用のスタンドが開示されている。特許文献２には、挟持部を有し、挟持部を携帯端末に取り付ける高さによって、傾斜角度を調節することができる携帯端末スタンドが開示されている。特許文献３には、帯状のスタンドの中心部をスマートフォンの裏面に吸盤で貼り付け、両翼部を丸め曲げすることで傾斜角度を調節することができるスマートフォンスタンドが開示されている。
【０００３】
【特許文献１】特開２０１４−１８３１１３号公報
【特許文献２】特開２０１５−０３３１２１号公報
【特許文献３】特開２０１６−１３１３０７号公報
【発明の開示】
【発明が解決しようとする課題】
【０００４】
しかし、特許文献１に開示されている電子機器用のスタンドは、傾斜角度を３段階に調節できるのみで、使用者の所望の角度に自由に調節できるといった考慮はなされていない。
【０００５】
また、特許文献２及び特許文献３に開示されている携帯端末用スタンドは、使用者の所望の角度に調節可能ではあるものの、特許文献２の携帯端末スタンドの挟持部では携帯端末を掴むのではなく、自重で倒れ込んだ携帯端末を挟持部の第１の点及び第２の点が支える構成であり、また特許文献３のスマートフォンスタンドでは両翼部を丸め曲げして形状を調整しなければならず、いずれも簡易に所望の傾斜角度に調節できるとは言い難い。
【０００６】
加えて、特許文献１乃至３に開示されているいずれの携帯端末用スタンドについても、携帯端末内蔵のスピーカーから発せられる音波を使用者側に反射させる、といった考慮はなされていない。
【０００７】
そこで、本発明は、傾斜角度を簡易に調整可能とすると共に、携帯端末内蔵のスピーカーから発せられる音波を反射可能な携帯端末用スタンドを提供することを課題とする。
【課題を解決するための手段】
【０００８】
上記課題を解決するために、本発明の携帯端末用スタンドは、
その曲面に軸心に対して所要の角度で斜めに形成された長溝部を有する半円筒形状のスタンド本体と、
前記スタンド本体の長溝部に対して挿通される略楕円形状断面を有する軸部がその厚み部分となる長辺面から突出する態様で位置する略直方体の平板状の脚部と、を備え、
前記略楕円形状断面の長軸は、前記長辺面の延在方向に対して前記角度に対応する角度とされており、
前記長溝部の両内壁は、前記軸部が挿通された際に当該軸部の延在方向が前記軸心を向く態様で形成されている。
【０００９】
前記軸部は、前記長溝内で前記長軸の両端が前記両内壁にそれぞれ当接されることで、前記スタンド本体と前記脚部とがロック状態となるようにしている。
【００１０】
また、脚部は、前記軸部が位置する長辺面とは反対側の長辺面を、その長手方向に沿って見て曲面形状とすることができる。
【発明の実施の形態】
【００１１】
以下、本発明の実施形態について図面を参照して説明する。
【００１２】
図１（ａ）〜図１（ｃ）は、本発明の実施形態の携帯端末用スタンド１００の模式図であり、それぞれ、正面図、側面図、及び、背面図を示している。図１（ａ）〜図１（ｃ）は、後述するように、携帯端末用スタンド１００を構成するスタンド本体２００と脚部３００との相対位置が異なるだけである。
【００１３】
携帯端末用スタンド１００は、図示しない携帯端末を保持するスタンド本体２００と、スタンド本体２００に着脱自在であり、スタンド本体２００を支持するための脚部３００とを備える。
【００１４】
まず、主として、スタンド本体２００について説明する。スタンド本体２００は、概形が半円筒形状である。これは、スタンド本体２００に携帯端末を載置した際に、携帯端末の内蔵スピーカーから発せられ、携帯端末の裏面或いは底面から出る音波を、半円筒の内壁で受けて、使用者側に反射させるようにするためである。
【００１５】
また、スタンド本体２００の曲面の中央部には、長溝部２１０が斜めに形成されている。具体的には、スタンド本体２００は、その曲面に軸心４００に対して所要の角度で斜めに形成された長溝部２１０を有している。この角度は、軸心４００に対して３０°〜６０°程度の範囲で選択すればよい（図１には、約３０°の例を示している。）。
【００１６】
長溝部２１０には、脚部３００に設けられている軸部３１０が挿通される。長溝部２１０は、長溝部２１０に挿通される軸部３１０を受け、軸部３１０を長溝部２１０内でスライド可能に構成されている。
【００１７】
スタンド本体２００と脚部３００との相対位置によって、スタンド本体２００の傾斜角度、すなわち、スタンド本体２００の開放部の上下の向きを簡易に調整できるようにしている。
【００１８】
具体的には、図１（ａ）よりも、図１（ｂ）、図１（ｃ）に移行するにつれて、スタンド本体２００の開放部は上向きとなっていく。図１（ａ）の側面図に示すように、軸部３１０を長溝部２１０の下端部付近に挿通した場合に、スタンド本体２００の接地面とスタンド本体２００の開放部とが為す角度をαとし、図１（ｂ）の側面図に示すように、軸部３１０を長溝部２１０の中ほどに挿通した場合の対応角度をβとし、図１（ｃ）の側面図に示すように、軸部３１０を長溝部２１０の上端部付近に挿通した場合の対応角度をγとすると、これらの角度の関係は、α＞β＞γとなる。
【００１９】
なお、図１に示す態様で長溝部２１０を形成した場合には、αは概ね６０°、γは概ね２０°となる。したがって、これらの範囲内で使用者が所望の角度となる位置で、スタンド本体２００と脚部３００との相対位置を決定すればよい。
【００２０】
また、長溝部２１０の両内壁は、図１（ａ）〜図１（ｃ）の各側面図に示すように、軸部３１０が挿通された際に、軸部３１０が長溝部２１０のいずれの位置にあっても、軸部
３１０の延在方向が軸心４００を向く態様で形成されている。こうするためには、長溝部２１０は、これに挿通された軸部３１０が、軸心４００に向くように、ねじりながら穿孔すればよい。
【００２１】
長溝部２１０を、このような形状としないと、スタンド本体２００と脚部３００との位置によっては、これらの間の当接状態が維持できなくなる。このため、長溝部２１０の形状は、本実施形態の携帯端末用スタンドにとって、一つの重要な要素である。
【００２２】
また、脚部３００は、スタンド本体２００は、後述するように、竹を素材とする場合には、その節は切断してもよいし、敢えて切断することなくそのまま用いてもよい。携帯端末からの音波は、スタンド本体２００の内面で受けられて反射するが、そのうちの一部は、スタンド本体２００の長手方向に向けて進行することになる。これを逃さずに効果的に反射させることに、節部分は寄与することになる。また、スタンド本体２００は、竹を素材としない場合には、節相当の部位を設けてもよい。
【００２３】
つぎに、主として、脚部３００について説明する。脚部３００は、概形が平板状をしている。平板状といっても、その厚み部分となる長辺面には、軸部３１０が位置するので、脚部３００は、厳密にいえば、略直方体をいうことができる。さらに、脚部３００は、後述するように、竹を素材とする場合には、湾曲しているため、円筒状の一部ということができる。
【００２４】
脚部３００は、既述のように、スタンド本体２００の長溝部２１０に対して挿通される軸部３１０が設けられている。軸部３１０は、略楕円形状断面を有する。軸部３１０は、脚部３００本体の厚み部分となる長辺面から突出する態様で位置している。軸部３１０の略楕円形状断面の長軸は、上記の長辺面の延在方向に対して、スタンド本体２００に対する長溝部２１０の形成角度に対応する角度とされている。これにより、スタンド本体２００と脚部３００とを、各々の長手方向を一致させた場合に、後述するロック状態が可能となる。
【００２５】
また、図１（ａ）〜図１（ｃ）の各側面図に示すように、脚部３００の接地側側面、すなわち、脚部３００における軸部３１０が位置する長辺面とは反対側の長辺面３２０は、長手方向に沿って見て、曲面形状とされている。これによって、スタンド本体２００の開放部の上下の向きをどのように調整しても、接地面が一定となる。
【００２６】
軸部３１０は、その短軸が長溝部２１０の幅より小さい寸法とし、その長軸は長溝部２１０の幅より大きい寸法とする。これにより、長溝部２１０内で軸部３１０を回転させて、軸部３１０の短軸を長溝部２１０幅方向に対向させた場合には、脚部３００が長溝部２１０内でスライド可能であり、軸部３１０の長軸を長溝部２１０幅方向に対向させた場合には、脚部３００が長溝部２１０内でスライド不能となってロックされた状態となる。つまり、長溝部２１０内で長軸の両端が長溝部２１０の両内壁にそれぞれ当接されることで、スタンド本体２００と脚部３００とがロック状態となる。
【００２７】
なお、本実施形態では、スタンド本体２００及び脚部３００は、竹を素材とすることができる。また、軸部３１０は、竹ひごを素材とすることができる。この場合、軸部３１０は、その大きさに対応する穴を脚部３００に形成し、その穴の中に接着剤等を用いて接続するとよい。もっとも、スタンド本体２００及び脚部３００は竹を素材にすることに代えてプラスチックを素材とすることもできる。
【００２８】
また、スタンド本体２００及び脚部３００を竹製とした場合には、スタンド本体２００及び脚部３００にワニスを塗布するとよい。竹の乾燥が不十分である場合に、カビが発生
することを防止するためである。
【００２９】
さらに、本発明の実施形態における、スタンド本体２００及び脚部３００の好適な寸法などのスペックについては、携帯電話機、スマートフォン、タブレット端末などの各々の汎用的なサイズ及び重量に対応するものとすればよい。
【００３０】
もっとも、一般的には、携帯電話機及びスマートフォンのサイズよりも、タブレット端末のサイズの方が大きいので、タブレット端末が納まる幅で、スタンド本体２００の長手方向の長さを決定し、タブレット端末の重量に応じて脚部３００の強度を決定すればよい。
【００３１】
一例をあげると、タブレット端末としては、７インチ〜１２インチ程度の画面サイズのものが汎用的であるので、１２インチ程度の画面サイズの場合のタブレット端末自体の筐体は、長辺の長さが約２５ｃｍであるので、スタンド本体２００の長手方向の長さは、３０ｃｍ程度とすることができる。この場合、スタンド本体２００は、内径が７ｃｍ〜１２ｃｍ、外径は８ｃｍ〜１３ｃｍ、内外径差は０．５ｃｍ〜１．５ｃｍ程度とするよい。
【００３２】
一方、スタンド本体２００の長手方向の長さは、３０ｃｍ程度とすると、スマートフォンなど、相対的に小型の端末を載置する場合には、スペース効率が良くないので、この半分程度の１５ｃｍほどとすることもできる。この場合、スタンド本体２００は、内径が５ｃｍ〜１０ｃｍ、外径は６ｃｍ〜１２ｃｍ、内外径差は０．５ｃｍ〜１．５ｃｍ程度とするよい。
【００３３】
また、長溝部２１０は、スタンド本体２００の大きさに対応させて変更してもよいし、一定としてもよいが、概ね、長手方向の長さが約５ｃｍ〜１０ｃｍ、短手方向の長さが約５ｍｍ〜１０ｍｍ程度とすればよい。
【００３４】
さらに、脚部３００は、長手方向の長さが１０ｃｍ〜１５ｃｍ程度、短手方向の長さが２ｃｍ〜４ｃｍ程度、厚みが０．５ｃｍ〜１．５ｃｍ程度とすればよい。軸部３１０は、長さについてはスタンド本体２００の内外径差に対応させればよく、０．５ｃｍ〜１．５ｍｍ、長軸及び短軸は長溝部２１０短手方向の長さに対応させればよく、それぞれ、４．８ｍｍ〜９．８ｍｍ程度及び５．２ｍｍ〜１０．２ｍｍ程度である。
【００３５】
なお、以上の寸法は、例示的なものであり、本発明の携帯端末用スタンドが、このサイズに限定されるわけではない点に留意されたい。
【図面の簡単な説明】
【００３６】
【図１】本発明の実施形態の携帯端末用スタンド１００の模式図であり、それぞれ、正面図、側面図、及び、背面図を示す。
【符号の説明】
【００３７】
１００  携帯端末用スタンド
２００  スタンド本体
２１０  溝部
３００  脚部
３１０  軸部
【図１】
2019009687.tif 000003